【事件の表示】
　特願２００２−３４３４０３「コネクタ」拒絶査定不服審判事件〔平成１６年　６月２４日出願公開、特開２００４−１７８９５９〕について、次のとおり審決する。
【結　論】
　本件審判の請求は、成り立たない。
【理　由】
１．手続の経緯
　本件の出願（以下、「本願」という。）は、平成１４年１１月２７日の出願であって、平成１８年４月１９日付け（発送日：同月２５日）で拒絶査定がなされ、これに対し、同年５月２５日付けで拒絶査定不服審判の請求がなされるとともに、同年６月２３日付けで手続補正がなされたものである。
　
２．平成１８年６月２３日付け手続補正についての補正却下の決定
　
［補正却下の決定の結論］
　平成１８年６月２３日付け手続補正を却下する。
　
［理由］
（１）本願補正発明
　平成１８年６月２３日付け手続補正（以下、「本件補正」という。）により、特許請求の範囲の請求項１は、次のとおりに補正された。
　
「フレキシブルプリント基板（ＦＰＣ）と着脱自在に嵌合するコネクタであって、前記フレキシブルプリント基板と接触する接触部を上下方向両側に有する所要数のコンタクトと、このコンタクトが保持・固定されるとともに前記フレキシブルプリント基板が挿入される嵌合口を有するハウジングと前記フレキシブルプリント基板を前記コンタクトに押圧する回動部材とを備えるコネクタにおいて、
　前記コンタクトは２種類のコンタクトを有し、一方を前記ハウジングの接続部側より挿入するとともにもう一方を前記ハウジングの嵌合口側より挿入し、２種類の前記コンタクトを長手方向に交互に千鳥に配置し、
　一方の前記コンタクトは倒略Ｈ形状をし、凸部形状を有する上方側の接触部と弾性部と支点部と接続部とを略クランク状に配置し、前記接続部に対向する側で前記弾性部から延設する押受部を設けるとともに前記支点部から前記接続部側と反対方向に延設された先端にもう一つの凸部形状を有する接触部を設け、
　もう一方の前記コンタクトも倒略Ｈ字形状をし、凸部形状を有する上方側の接触部と弾性部と支点部と接続部とを略コ字形状に配置し、前記接続部と前記支点部の間にもう一つの凸部形状を有する接触部を設け、前記弾性部から上方側の前記接触部と反対方向へ延設された押受部を設けるとともに前記支点部から前記接続部と反対方向へ延設された延設部を設け、
　前記フレキシブルプリント基板の接点が千鳥に配列されている際に、２種類の前記コンタクトに設けられた上下方向の接触部が千鳥に配置され、
　前記回動部材には長手方向に連設した押圧部を設けるとともに前記回動部材が開いた状態で前記コンタクトの押受部が入る係止孔を設け、前記押圧部が回動するように前記回動部材を前記接続部側に前記ハウジングに装着することを特徴とするコネクタ。」
　
　本件補正は、本件補正前の請求項１に記載された発明を特定するために必要な事項である「コンタクト」について、「前記コンタクトは２種類のコンタクトを有し、一方を前記ハウジングの接続部側より挿入するとともにもう一方を前記ハウジングの嵌合口側より挿入し、２種類の前記コンタクトを長手方向に交互に千鳥に配置し、一方の前記コンタクトは倒略Ｈ形状をし、凸部形状を有する上方側の接触部と弾性部と支点部と接続部とを略クランク状に配置し、前記接続部に対向する側で前記弾性部から延設する押受部を設けるとともに前記支点部から前記接続部側と反対方向に延設された先端にもう一つの凸部形状を有する接触部を設け、もう一方の前記コンタクトも倒略Ｈ字形状をし、凸部形状を有する上方側の接触部と弾性部と支点部と接続部とを略コ字形状に配置し、前記接続部と前記支点部の間にもう一つの凸部形状を有する接触部を設け、前記弾性部から上方側の前記接触部と反対方向へ延設された押受部を設けるとともに前記支点部から前記接続部と反対方向へ延設された延設部を設け、」という限定を付加し、「コンタクト」を２種類のコンタクトに限定したことに伴い、補正前の「前記フレキシブルプリント基板の前記コンタクトとの接点が千鳥に配列されている際に、前記コンタクトの上下方向の接触部を千鳥に配置し、」という事項を、「前記フレキシブルプリント基板の接点が千鳥に配列されている際に、２種類の前記コンタクトに設けられた上下方向の接触部が千鳥に配置され、」という事項にしたことを含むものであって、平成１８年改正前特許法第１７条の２第４項第２号の特許請求の範囲の減縮を目的とするものに該当する。
　そこで、本件補正後の請求項１に記載された発明（以下、「本願補正発明」という。）が特許出願の際独立して特許を受けることができるものであるか（平成１８年改正前特許法第１７条の２第５項において準用する特許法第１２６条第５項の規定に適合するか）について以下に検討する。
　
（２）引用例
　平成１８年４月１９日付け（発送日：同月２５日）の拒絶査定で周知例として示され、また、平成２０年４月３０日付け審尋（発送日：同年５月７日）で示された、特開２００２−２７０２９０号公報（以下、「引用例１」という。）には、図面とともに次の記載がある。
　
ア．「本発明は前記両従来のＦＰＣ用コネクタの欠点を改良し、アクチュエータを小さい操作力で操作でき、また、アクチュエータによるコンタクトの移動量を大きくして接続を確実に行うことができ、更に、低背のコネクタを提供しようとするものである。」（段落【００１２】）
　
イ．「ＦＰＣ用コネクタは、金属製の多数のコンタクト１０と、各コンタクト１０を保持するインシュレータ２０と、各コンタクト１０をＦＰＣ５０に圧接させるための合成樹脂製のアクチュエータ３０と、ＦＰＣ用コネクタをプリント基板６０に半田付けにより固定するためにインシュレータ２０に取付けられた金属製のホールドダウン４０とから構成される。」（段落【００２０】）
　
ウ．「図６において、コンタクト１０は、接触部１１、接触部１２、連結ばね部１３、ばね部１４及びばね部１５から偏平な略エ字形状に構成される。接触部１１の一端側の下面には、２つの突起１１ａ，１１ｂが若干離れて形成され、また、接触部１１の他端側は、折曲されて上向きの傾斜部１１ｃに形成される。接触部１２の一端側の上面には、２つの突起１２ａ，１２ｂが若干離れて形成され、また、接触部１２の他端側は、折曲されて下向きの傾斜部１２ｃに形成される。更に、接触部１２の一端側の先端には、突出部１６が形成され、ばね部１５の中央の上面には、カム受入凹部１５ａが形成され、また、ばね部１５の一端側の下面には、プリント基板６０に半田付けにより接続するための端子部１７が形成される。接触部１１とばね部１４は、１本のビームを形成し、また、接触部１２とばね部１５も、１本のビームを形成する。」（段落【００２１】）
　
エ．「インシュレータ２０の前面側の内部下方には、多数の溝２１が形成され、各溝２１に各コンタクト１０の突出部１６が圧入される。また、インシュレータ２０には、各コンタクト１０の接触部１１を被覆する天井部２２が形成され、天井部２２の前面側の下部には、ＦＰＣ５０をコネクタに挿入するときガイドするための傾斜したガイド部２２ａが形成される。なお、天井部２２は、インシュレータ２０の自動実装時の吸着面として利用することができる。」（段落【００２２】）
　
オ．「アクチュエータ３０は、カム部３１と手指による操作部３３を有し、カム部３１と操作部３３との間に各コンタクト１０のばね部１４の先端付近１４ａが挿入脱出可能な逃げ溝３２を形成される。アクチュエータ３０は、支点３１ａを中心として図６の位置から図７の位置まで９０°右回転することができる。アクチュエータ３０が右回転するとき、カム部３１は各コンタクト１０のばね部１４と連結ばね部１３を弾性変形させる。すると、接触部１１の突起１１ａ，１１ｂと接触部１２の突起１２ａ，１２ｂとの間で、ＦＰＣ５０は挟圧される。したがって、ＦＰＣ５０の表面に形成されたパターン（図示せず）は、各コンタクト１０の端子部１７を介してプリント基板６０に接続される。突起（１１ａ，１１ｂ又は１２ａ，１２ｂ）の構成により、同一のコネクタでＦＰＣ５０の接点がプリント基板６０側にある場合と反プリント基板６０側にある場合の両方の場合に接続することができる。なお、図７の状態では、カムが部３１は、ばね部１４の先端付近１４ａとばね部１５のカム受入凹部１５ａにより、右回りのモーメントを付勢されているため、アクチュエータ３０は、図６の状態に戻り難い。」（段落【００２３】）
　
　また、図６及び図７の記載内容、並びに、技術常識からみて、引用例１のＦＰＣ用コネクタがＦＰＣ（５０）を着脱自在に嵌合することは、明らかである。
　また、図６及び図７の記載内容、並びに、上記「オ．」の記載事項からみて、引用例１の連結ばね部（１３）と、接触部（１２）及びばね部（１５）との、接続部分に支点部分が形成され、また、上方側の突起（１１ａ，１１ｂ）と連結ばね部（１３）と支点部分と端子部（１７）とが略クランク状に配置されていることは、明らかである。
　また、図６及び図７の記載内容、並びに、上記「ウ．」及び「オ．」の記載事項からみて、引用例１のばね部（１４）が、端子部（１７）に対向する側に位置し、連結ばね部（１３）から延設して設けられていること、また、接触部（１２）が、支点部分から端子部（１７）と反対方向に延設され、下方側の突起（１２ａ，１２ｂ）を有していることは、明らかである。
　また、図３、図６及び図７の記載内容、並びに、上記「イ．」及び「オ．」の記載事項からみて、引用例１のアクチュエータ（３０）が、インシュレータ（２０）の、ＦＰＣ（５０）が挿入される側と逆側である端子部（１７）側に、装着されること、また、カム部（３１）がアクチュエータ（３０）に、長手方向に連設されていることは、明らかである。
　
　したがって、引用例１には、次の発明（以下、「引用例１発明」という。）が記載されている。
　
　「ＦＰＣ（５０）と着脱自在に嵌合するＦＰＣ用コネクタであって、
ＦＰＣ（５０）と接触する突起（１１ａ，１１ｂ，１２ａ，１２ｂ）を上下方向両側に有する多数のコンタクト（１０）と、このコンタクト（１０）が保持されるとともにＦＰＣ（５０）が挿入されるガイド部（２２ａ）を有するインシュレータ（２０）とＦＰＣ（５０）をコンタクト（１０）により挟圧するアクチュエータ（３０）とを備えたＦＰＣ用コネクタにおいて、
　コンタクト（１０）は、略エ字形状をし、上方側の突起（１１ａ，１１ｂ）と連結ばね部（１３）と支点部分と端子部（１７）とを略クランク状に配置し、端子部（１７）に対向する側で連結ばね部（１３）から延設するばね部（１４）を設けるとともに支点部分から端子部（１７）側と反対方向に延設された接触部（１２）に下方側の突起（１２ａ，１２ｂ）を設け、
　アクチュエータ（３０）には長手方向に連設したカム部（３１）を設けるとともにアクチュエータ（３０）が開いた状態でコンタクト（１０）のばね部（１４）が挿入される逃げ溝（３２）を設け、カム部（３１）が回動するように、アクチュエータ（３０）を、端子部（１７）側に、インシュレータ（２０）に装着したＦＰＣ用コネクタ。」
　
　また、原査定の拒絶の理由に引用された特開２００１−３５７９１８号公報（以下、「引用例２」という。）には、図面とともに次の記載がある。
　
カ．「本発明はフレキシブル基板用電気コネクタに関する。」（段落【０００１】）
　
キ．「この種の電気コネクタとしては、例えば特開平９−２８３２３５に開示されているものが知られている。
　この公知のコネクタは、添付図面の図４のごとく、金属板を抜き加工して得られた二種の端子５１，５２を、その面が紙面と平行となるようにして、紙面に直角な方向に等間隔でそれぞれ複数、ハウジング５３に植設されている。
　上記端子５１は、上方から、支持腕部５４、接触子腕部５５、固定腕部５６、そして接続部５７を順に有している。支持腕部５４は幅広で剛性を有し、その先端部に略円形の回動支持部５４Ａが形成され、一方、接触子腕部５５は比較的細長く可撓性を有するように形成されており、その先端には接触部５５Ａが設けられている。又、固定腕部５６は係止突起５６Ａを有している。そして、接続部５７はハウジング外に突出して回路基板Ｐ上に位置している。かかる端子５１は、ハウジング５３の対応溝へ右方から挿入され、上記係止突起５６Ａによりその位置が固定される。
　もう一種の端子５２は、上記の端子５１に比し、支持腕部を有していない以外は、上記端子５１と同じであるが、ハウジング５３へは逆向きで左方から挿入されて、その接続部５８は左方へ突出している。したがって、端子５１と５２が交互に植設されたとき、それらの接触部５５Ａそして５９Ａは、挿入方向で距離をもっており、上方から見たときには、千鳥状に配置される。」（段落【０００２】−【０００５】）
　
ク．「本発明は、かかる点を改善し、加圧部材を薄くしてコネクタの低背化を可能とし、二種の端子が離れた位置に接触部を有していても、低背化を確保しつつ有効にフレキシブル基板を圧することができ、かつフレキシブル基板が挿入し易いフレキシブル基板用電気コネクタを提供することを目的とする。」（段落【００１４】）
　
ケ．「本実施形態のコネクタは、図１において紙面に直角な方向に幅広く作られていて、図１(Ａ)−１、図１(Ｂ)−１に見られるように、絶縁材から成るハウジング１に形成された二種の収容溝２，３に異種の端子１０，２０がそれぞれ収められていている。本実施形態の場合、収容溝２，３は、紙面に平行な面に広がるスリット状をなし、紙面に対し直角方向に所定間隔をもって交互に形成されている。該端子１０，２０には、端子１０，２０が挿入されたとき該端子１０，２０を係止しておくための係止突起１０Ａ，２０Ａが設けられている。一連の収容溝２，３は、図にて左上部で、互いに連通していて一つの開口部４を形成している。
　端子１０，２０は共に金属板から作られていて、その金属板の面を保ったまま、例えば抜き加工により形成されており、前方（図にて左方）に延びる上腕部１１，２１と下腕部１２，２２とを有し、両腕部は連結部１３，２３にて連結され一体となっている。
　一方の端子１０は、図１(Ａ)−１に見られれるように、上記収容溝２内へ右方から挿入され、上腕部１１の基部近傍に設けられた突起１０Ａが上記ハウジング１に係止して該端子１０の抜け防止を図っている。又、連結部１３の下方にはハウジング外に右方へ突出せる脚状の接続部１４が形成されている。上記下腕部１２は全体として上下方向に撓みを生ずるように弾性を有していて、該下腕部１２の先端上縁には、上方に突出せる接触部１２Ａが形成されている。該接触部１２Ａは前後方向においては、上記上腕部１１よりも若干前方（図にて左方）に位置するように長く形成されている。該上腕部１１は、上記下腕部１２にくらべ短く、該下腕部１２との間にフレキシブル基板Ｐの挿入空間を溝状に形成している。
　もう一方の端子２０は、図１(Ｂ)−１に見られるように、もう一種の収容溝３内へ左方から挿入されるようになっていて、右部に位置する連結部２３の上部に抜止用の係止突起２０Ａが設けられている。
　上記端子２０の上腕部２１は、前方に延びると共に先端側が湾曲して上方にもち上がっており、その上縁に凹湾曲した回動案内部２１Ａそして下縁に凸湾曲した滑動案内部２１Ｂが形成されている。又、上記下腕部２２にはその前後方向中間位置で上縁に突出した接触部２２Ａが設けられている。この接触部２２Ａは、前後方向にて、上記一方の端子１０の接触部１２Ａに対して後方に位置しており、該接触部１２Ａと前後方向に間隔をもっている。下腕部２２の左端部にはハウジング外に突出せる接続部２６を有している。
　このような二種の端子１０，２０を交互に有するコネクタのハウジング１の開口部４には、加圧部材３０が設けられている。該加圧部材３０は、ハウジング１と同様に絶縁材から作られており、上記端子２０の上腕部２１の回動案内部２１Ａと滑動案内部２１Ｂとにより回動自在に支持されている。該加圧部材３０は、端子２０に対応した位置に溝部３１が形成されている。又、この加圧部材３０には、上記端子２０に対応せる溝部３１には半円島状の回動被案内部３１Ａが設けられていて、上記端子２０の上腕部２１の回動案内部２１Ａと接している。又、加圧部材３０には、上記端子２０の滑動案内部２１Ｂに対して滑動する直状の滑動部３１Ｂが設けられている。」（段落【００２３】−【００２８】）
　
コ．「かかるコネクタは、次の要領で使用され作動する。<１>（審決注：原文は丸数字、以下同様。）　先ず、コネクタが回路基板（図示せず）上に配され、二種の端子１０，２０の接続部１４，２６がそれぞれ該回路基板の対応回路部と半田により接続される。<２>　次に、加圧部材３０が図１(Ａ)−１，図１(Ｂ)−１に見られる開放位置にもたらされる。<３>　上記加圧部材３０が開放位置にもたらされたことにより、左方に大きく開いた開口部４へフレキシブル基板Ｐが挿入される。該フレキシブル基板Ｐは下面に複数の接続回路部Ｐ１，Ｐ２が形成されていて、所定位置までの挿入により、各接続回路部が端子１０，２０の接触部１２Ａ，２２Ａ上に位置するようになる（図１（Ｃ）参照）。<４>　しかる後、図１(Ａ)−２，図１(Ｂ)−２のごとく、上記加圧部材３０を下方に向け回動させる。この回動は、上述のごとく、加圧部材３０の回動被案内部３１Ａが端子２０の回動案内部２１Ａに接し、そして滑動部３１Ｂが端子２０の滑動案内部２１Ｂと接している状態を維持しながら行われる。すなわち、加圧部材３０は、上記回動中、端子２０を上下から対向的に挟持しながら回動することとなる。加圧部材３０は、加圧部３３にてフレキシブル基板Ｐを押して端子１０の接触部１２Ａに圧する。かくして、フレキシブル基板Ｐは十分な接圧のもとに端子１０と電気的に接続される。<５>　上記端子１０の下腕部１２は、その接触部１２Ａにてフレキシブル基板Ｐにて圧せられると下方に弾性撓みを生ずる。この撓みは連結部１３にて上腕部１１に変位角をもたらす。その結果、該上腕部１１は下方に変位する。変位する上腕部１１はフレキシブル基板Ｐを上方から下方に向け圧する。<６>　この上腕部１１に圧せられたフレキシブル基板Ｐは他の端子２０の下腕部２２の接触部２２Ａへ押しつけられ、ここで端子２０と電気的に接続される（図１（Ｂ）−２，図１（Ｄ）参照）。この端子２０との接続は、フレキシブル基板の有する剛性により、端子１０とほぼ同じ接圧のもとになされる。」（段落【００３０】）
　
　また、図１及び図４の記載内容、並びに、技術常識からみて、引用例２の電気コネクタがフレキシブル基板（Ｐ）を着脱自在に嵌合することは、明らかである。
　さらに、図１の記載内容、並びに、上記「ケ．」及び「コ．」の記載事項からみて、引用例２のフレキシブル基板（Ｐ）の接続回路部（Ｐ１，Ｐ２）が千鳥に配列され、また、二種の端子（１０，２０）の接触部（１２Ａ，２２Ａ）が接続回路部（Ｐ１，Ｐ２）に対応して千鳥に配置されていることは、明らかである。
　
　したがって、引用例２には、次の発明（以下、「引用例２発明」という。）が記載されている。
　
　「フレキシブル基板（Ｐ）と着脱自在に嵌合する電気コネクタであって、フレキシブル基板（Ｐ）と接触する接触部（１２Ａ，２２Ａ）を下側に有する複数の端子（１０，２０）と、これら端子（１０，２０）が係止されるとともにフレキシブル基板（Ｐ）が挿入される開口部（４）を有するハウジング（１）とフレキシブル基板（Ｐ）を端子（１０，２０）に押圧する加圧部材（３０）とを備える電気コネクタにおいて、
　前記端子（１０，２０）は二種の端子を有し、一方の端子（１０）をハウジングの右方から挿入するとともにもう一方の端子（２０）を左方から挿入し、二種の端子（１０，２０）を紙面に対し直角方向に交互に形成し、
　フレキシブル基板（Ｐ）の接続回路部（Ｐ１，Ｐ２）が千鳥に配列されていることに対応して、二種の端子（１０，２０）に設けられた接触部（１２Ａ，２２Ａ）が千鳥に配置された電気コネクタ。」
　
（３）対比
　本願補正発明と上記引用例１発明とを対比する。
　
　引用例１発明の「ＦＰＣ（５０）」は、本願補正発明の「フレキシブルプリント基板」に相当し、同様に、「ＦＰＣ用コネクタ」は「コネクタ」に、「突起（１１ａ，１１ｂ，１２ａ，１２ｂ）」は「接触部」に、「多数」は「所要数」に、「保持」は「保持・固定」に、「ガイド部（２２ａ）」は「嵌合口」に、「インシュレータ（２０）」は「ハウジング」に、「アクチュエータ（３０）」は「回動部材」に、「略エ字形状」は「倒略Ｈ形状」に、「上方側の突起（１１ａ，１１ｂ）」は「凸部形状を有する上方側の接触部」に、「連結ばね部（１３）」は「弾性部」に、「支点部分」は「支点部」に、「端子部（１７）」は「接続部」に、「ばね部（１４）」は「押受部」に、「下方側の突起（１２ａ，１２ｂ）」は「もう一つの凸部形状を有する接触部」に、「カム部（３１）」は「押圧部」に、「逃げ溝（３２）」は「係止孔」に、それぞれ相当する。
　また、引用例１発明の「ＦＰＣ（５０）をコンタクト（１０）により挟圧する」は、本願補正発明の「フレキシブルプリント基板をコンタクトに押圧する」と同義である。
　さらに、本願補正発明の「接続部側と反対方向に延設された先端」も、引用例１発明の「端子部（１７）側と反対方向に延設された接触部（１２）」も、ともに、「接続部側と反対方向に延設された部分」ということができる。
　したがって、両者は、
　
　「フレキシブルプリント基板と着脱自在に嵌合するコネクタであって、前記フレキシブルプリント基板と接触する接触部を上下方向両側に有する所要数のコンタクトと、このコンタクトが保持・固定されるとともに前記フレキシブルプリント基板が挿入される嵌合口を有するハウジングと前記フレキシブルプリント基板を前記コンタクトに押圧する回動部材とを備えるコネクタにおいて、
　コンタクトは倒略Ｈ形状をし、凸部形状を有する上方側の接触部と弾性部と支点部と接続部とを略クランク状に配置し、前記接続部に対向する側で前記弾性部から延設する押受部を設けるとともに前記支点部から前記接続部側と反対方向に延設された部分にもう一つの凸部形状を有する接触部を設け、
　前記回動部材には長手方向に連設した押圧部を設けるとともに前記回動部材が開いた状態で前記コンタクトの押受部が入る係止孔を設け、前記押圧部が回動するように前記回動部材を前記接続部側に前記ハウジングに装着することを特徴とするコネクタ。」
　
　の点で一致し、次の点で相違する。
　
［相違点１］
　コンタクトに関して、本願補正発明では、「コンタクトは２種類のコンタクトを有し、一方を前記ハウジングの接続部側より挿入するとともにもう一方を前記ハウジングの嵌合口側より挿入し、２種類の前記コンタクトを長手方向に交互に千鳥に配置し、一方の前記コンタクトは倒略Ｈ形状をし、凸部形状を有する上方側の接触部と弾性部と支点部と接続部とを略クランク状に配置し、前記接続部に対向する側で前記弾性部から延設する押受部を設けるとともに前記支点部から前記接続部側と反対方向に延設された先端にもう一つの凸部形状を有する接触部を設け、もう一方の前記コンタクトも倒略Ｈ字形状をし、凸部形状を有する上方側の接触部と弾性部と支点部と接続部とを略コ字形状に配置し、前記接続部と前記支点部の間にもう一つの凸部形状を有する接触部を設け、前記弾性部から上方側の前記接触部と反対方向へ延設された押受部を設けるとともに前記支点部から前記接続部と反対方向へ延設された延設部を設け」たものであるのに対し、
　引用例１発明では、１種類のコンタクトを有し、「コンタクトは、略エ字形状をし、上方側の突起と連結ばね部と支点部分と端子部とを略クランク状に配置し、端子部に対向する側で連結ばね部から延設するばね部を設けるとともに支点部分から端子部側と反対方向に延設された接触部に下方側の突起を設け」たものである点。
　
［相違点２］
　本願補正発明では、「フレキシブルプリント基板の接点が千鳥に配列されている際に、２種類の前記コンタクトに設けられた上下方向の接触部が千鳥に配置され」ているのに対し、引用例１発明では、ＦＰＣの接点が千鳥に配列されているか明らかでなく、また、コンタクトに設けられた上下方向の突起が千鳥に配置されているか明らかでない点。
　
（４）判断
相違点１について
　引用例２発明の「フレキシブル基板（Ｐ）」は、本願補正発明の「フレキシブルプリント基板」に相当し、同様に、「電気コネクタ」は「コネクタ」に、「複数」は「所要数」に、「端子（１０，２０）」は「コンタクト」に、「係止」は「保持・固定」に、「開口部（４）」は「嵌合口」に、「加圧部材（３０）」は「回動部材」に、「二種」は「２種類」に、「一方の端子（１０）」は「一方」に、「右方」は「接続部側」に、「もう一方の端子（２０）」は「もう一方」に、「左方」は「嵌合口側」に、「接続回路部（Ｐ１，Ｐ２）」は「接点」に、それぞれ相当し、
　また、引用例２発明の「紙面に対し直角方向に交互に形成し」は、本願補正発明の「長手方向に交互に千鳥に配置し」と同義であり、同様に、「フレキシブル基板（Ｐ）の接続回路部（Ｐ１，Ｐ２）が千鳥に配列されていることに対応して」は「フレキシブルプリント基板の接点が千鳥に配列されている際に」と同義であるから、引用例２発明は、
「フレキシブルプリント基板と着脱自在に嵌合するコネクタであって、前記フレキシブルプリント基板と接触する接触部を有する所要数のコンタクトと、このコンタクトが保持・固定されるとともに前記フレキシブルプリント基板が挿入される嵌合口を有するハウジングと前記フレキシブルプリント基板を前記コンタクトに押圧する回動部材とを備えるコネクタにおいて、
　前記コンタクトは２種類のコンタクトを有し、一方を前記ハウジングの接続部側より挿入するとともにもう一方を前記ハウジングの嵌合口側より挿入し、２種類の前記コンタクトを長手方向に交互に千鳥に配置し、
　前記フレキシブルプリント基板の接点が千鳥に配列されている際に、２種類の前記コンタクトに設けられた接触部が千鳥に配置されたコネクタ。」ということができる。
　
　また、コネクタのコンタクトにおいて、２つある接触部の、もう一つの接触部を、支点部から接続部側と反対方向に延設された部分のどこに設けるかは、当業者が必要に応じて適宜設定すべき事項にすぎない。
　
　そして、引用例１発明と引用例２発明とは、ともに、低背のコネクタを提供するという課題を有するものである（上記摘記事項「ア．」及び「ク．」を参照。）。
　
　したがって、引用例１発明において、略エ字形状のコンタクト（１０）の、下方側の突起（１２ａ，１２ｂ）を、支点部分から端子部（１７）側と反対方向に延設された先端に設け、また、引用例２発明に倣って、略エ字形状のコンタクトを、端子部（接続部）の位置の異なる２種類のコンタクトとし、２種類のコンタクトを長手方向に交互に千鳥に配置して、上記相違点１に係る本願補正発明の構成を採用することは、当業者が容易に想到し得たことである。
　
相違点２について
　フレキシブルプリント基板において、接点を千鳥に配置することは、当業者において、普通になされていることである（例えば、引用例２において摘示した上記「カ．」、「コ．」、及び、引用例２の図１（Ｃ）を参照されたい。）。
　また、フレキシブルプリント基板の接点が千鳥に配列されている際に、フレキシブルプリント基板の接点と接触するコンタクトの接触部を、千鳥に配列された接点に対応させて、千鳥に配置することは、当業者が当然に行うことである。
　
　したがって、引用例１発明において、ＦＰＣの接点を千鳥に配列し、その際、接点の千鳥配列に対応させて、コンタクトに設けられた上下方向の突起を千鳥に配置して、上記相違点２に係る本願補正発明の構成を採用することは、当業者が容易に想到し得たことである。
　
　しかも、本願補正発明により、引用例１発明及び引用例２発明から当業者が予測できる以上の格別な効果がもたらされるということもできない。
　
　したがって、本願補正発明は、引用例１発明及び引用例２発明に基づいて、当業者が容易に発明をすることができたものであるから、特許法第２９条第２項の規定により特許出願の際独立して特許を受けることができない。
　
　ところで、請求人は、審判請求書で、本願補正発明が、ＦＰＣのコンタクトとの接点が千鳥に配列されている際に、コンタクトの上下方向の接触部を千鳥に配置しているので、ＦＰＣを逆挿入しても、接続不良が発生することがない旨主張している（例えば、平成１８年８月７日付け手続補正書の第３頁第３８−４０行参照。）。
　しかしながら、本願補正発明の「前記フレキシブルプリント基板の接点が千鳥に配列されている際に、２種類の前記コンタクトに設けられた上下方向の接触部が千鳥に配置され」という事項が、ＦＰＣが挿入される方向を前後方向であるとしたとき、本願図面の図２に示されるような、コンタクトの上方の接触部の千鳥配置と下方の接触部の千鳥配置とが前後逆転しているものとは理解できない。
　また、本願補正発明において、本願図面の図２に示されるような、コンタクトの上方の接触部の千鳥配置と下方の接触部の千鳥配置とが前後逆転していることが限定されたとしても、一般的なＦＰＣの接点の前後両側には、導線が存在するため（例えば、引用例２の【図１】（Ｃ）を参照されたい。なお、図中の接続回路部（Ｐ１，Ｐ２）は、ＦＰＣの接点に相当するものである。また、ＦＰＣが挿入される方向を前後方向であるとしたとき、接続回路部（Ｐ１，Ｐ２）の前後には接続回路部につながる導線があることがわかる。）、千鳥配置により接点との接触は回避できたとしても、接点につながる導線を回避できるものではなく、結局、ＦＰＣを逆挿入した場合の接続不良は解消できないものと考えられる。
　以上を踏まえると、請求人の、上記主張は採用できない。
　
（５）むすび
　以上のとおりであるから、本件補正は、平成１８年改正前特許法第１７条の２第５項において準用する特許法第１２６条第５項の規定に違反するものであり、平成１８年改正前特許法第１５９条第１項で読み替えて準用する同法第５３条第１項の規定により却下されるべきものである。
　
　なお、審判請求書において、「前記フレキシブルプリント基板の接点が千鳥に配列されている際に、２種類の前記コンタクトに設けられた上下方向の接触部が千鳥に配置され、一方の前記コンタクトの上方接触部ともう一方の前記コンタクトの下方接触部とが長手方向で同一直線上に配置されるとともに一方の前記コンタクトの下方接触部ともう一方の前記コンタクトの上方接触部とが長手方向で同一直線上に配置され、」という限定事項を加える、更なる補正案が提示されている（平成１８年８月７日付け手続補正書の第９頁第３５−４１行）が、上記事項は、当初明細書又は図面（以下、「当初明細書等」という。）に記載されたものではなく、また、当初明細書等の記載から自明な事項ともいえるものではなく、新規事項の疑いがあるものである。
　
３．本願発明について
（１）本願発明
　本件補正は上記のとおり却下されたので、本願の請求項１に係る発明（以下、「本願発明」という。）は、平成１７年１０月２７日付け手続補正書の特許請求の範囲の請求項１に記載された事項により特定される、以下のとおりのものである。
　
「フレキシブルプリント基板（ＦＰＣ）と着脱自在に嵌合するコネクタであって、該フレキシブルプリント基板と接触する接触部を上下方向両側に有する所要数のコンタクトと、このコンタクトが保持・固定されるとともに前記フレキシブルプリント基板が挿入される嵌合口を有するハウジングと前記フレキシブルプリント基板を前記コンタクトに押圧する回動部材とを備えるコネクタにおいて、
　前記フレキシブルプリント基板の前記コンタクトとの接点が千鳥に配列されている際に、前記コンタクトの上下方向の接触部を千鳥に配置し、前記回動部材には長手方向に連設した押圧部を設けるとともに前記回動部材が開いた状態で前記コンタクトの押受部が入る係止孔を設け、該押圧部が回動するように前記回動部材を接続部側に前記ハウジングに装着したことを特徴とするコネクタ。」
　
（２）引用例
　原査定の拒絶の理由に引用された引用例２、その記載事項、及び、引用例２発明は、上記「２．（２）」に記載したとおりである。
　
（３）対比
　本願発明と上記引用例２発明とを対比する。
　
　引用例２発明の「フレキシブル基板（Ｐ）」は、本願発明の「フレキシブルプリント基板」に相当し、同様に、「電気コネクタ」は「コネクタ」に、「複数」は「所要数」に、「端子（１０，２０）」は「コンタクト」に、「係止」は「保持・固定」に、「開口部（４）」は「嵌合口」に、「加圧部材（３０）」は「回動部材」に、「接続回路部（Ｐ１，Ｐ２）」は「コンタクトとの接点」に、それぞれ相当する。
　また、引用例２発明の「フレキシブル基板（Ｐ）の接続回路部（Ｐ１，Ｐ２）が千鳥に配列されていることに対応して」は、本願発明の「フレキシブルプリント基板の前記コンタクトとの接点が千鳥に配列されている際に」と同義である。
　したがって、両者は、
　
　「フレキシブルプリント基板と着脱自在に嵌合するコネクタであって、該フレキシブルプリント基板と接触する接触部を有する所要数のコンタクトと、このコンタクトが保持・固定されるとともに前記フレキシブルプリント基板が挿入される嵌合口を有するハウジングと前記フレキシブルプリント基板を前記コンタクトに押圧する回動部材とを備えるコネクタにおいて、
　前記フレキシブルプリント基板の前記コンタクトとの接点が千鳥に配列されている際に、前記コンタクトの接触部が千鳥に配置されたコネクタ。」
　
　の点で一致し、次の点で相違する。
　
［相違点１］
　フレキシブルプリント基板と接触する、コンタクトの接触部において、本願発明では、接触部を上下方向両側に設け、上下方向の接触部が千鳥に配置されているのに対し、引用例２発明では、端子（コンタクト）の接触部を下側に設け、下側の接触部が千鳥に配置されている点。
　
［相違点２］
　本願発明では、回動部材が、「長手方向に連設した押圧部を設けるとともに回動部材が開いた状態でコンタクトの押受部が入る係止孔を設け、該押圧部が回動するように前記回動部材を接続部側にハウジングに装着した」ものであるのに対し、引用例２発明では、加圧部材（回動部材）がそのようなものではない点。
　
（４）判断
相違点１について
　フレキシブルプリント基板用のコネクタにおいて、コンタクトの接触部を上下方向両側に設けることは、当業者にとって従来周知の技術的事項（例えば、特開２００２−２７０２９０号公報（引用例１）を参照されたい。）である。
　
　したがって、引用例２発明において、端子の接触部を上下方向両側に設けて、上記相違点１に係る本願発明の構成を採用することは、当業者が容易に想到し得たことである。
　
相違点２について
　フレキシブルプリント基板用のコネクタにおいて、回動部材に、長手方向に連設した押圧部を、また、回動部材が開いた状態でコンタクトの押受部が入る係止孔を設け、押圧部が回動するように回動部材を接続部側にハウジングに装着することは、当業者にとって従来周知の技術的事項（例えば、特開２００２−２７０２９０号公報（引用例１）、特開２００２−１９０３６０号公報を参照されたい。）である。
　
　したがって、引用例２発明において、加圧部材に代えて、長手方向に連設した押圧部を設けるとともに回動部材が開いた状態でコンタクトの押受部が入る係止孔を設け、押圧部が回動するように回動部材を接続部側にハウジングに装着した回動部材を適用し、上記相違点２に係る本願発明の構成を採用することは、当業者が容易に想到し得たことである。
　
　しかも、本願発明により、引用例２発明及び周知の技術的事項から当業者が予測できる以上の格別な効果がもたらされるということもできない。
　
（５）むすび
　以上のとおり、本願発明は、引用例２発明及び周知の技術的事項に基づいて、当業者が容易に発明をすることができたものであるから、特許法第２９条第２項の規定により特許を受けることができない。
　
　よって、結論のとおり審決する。